(57)【要約】      （修正有）【課題】ペーパータオルを足裏に密着固定させ、歩きながら床を拭くことを可能にし、キャラクター色の濃い床拭きペーパーホルダーを提供する。【解決手段】ペーパータオル１１を足裏に密着させるため、足裏と反対の足の甲９に床拭きペーパーホルダーのボディ１を装着する。挟み式留め具３を有するアーム２を、ボディ１の前後左右に、アーム２が左右に力のバランスが取れるようアーム通し穴５に通し、ボディ１を支点として、アーム２の先端にある挟み式留め具３でペーパータオル１１を足の前後左右に引っ張り上げて密着固定した。ボディ１とキャラクターの裏側７に結合器具を取り付けることにより、違うキャラクターの取外しを簡単可能にし、キャラクター色の濃い床拭きペーパーホルダーを実現する。【選択図】図７
0003142020.tif 000002
【実用新案登録請求の範囲】
【請求項１】
挟み式留め具を先端に持つアームを前後左右に有するボディを足の甲に載せ、足の裏に敷いたペーパータオルをボディに付随するアームの挟み式留め具で４点装着することを特徴とする床拭きペーパーホルダー。
【請求項２】
アームの長さを左右に調整可能となるよう、ボディにアームの通し穴を設けアームを通すことによりることにより、アームをボディに固定することなく左右のバランスがとれるようにすること特徴とする床拭きペーパーホルダー。
【請求項３】
無味乾燥なボディに動物などのキャラクターを結合器具をつけ結合可能にすることにより、子供の興味を引かせ、床拭きを楽しく促すことを特徴とする床拭きペーパーホルダー。
【考案の詳細な説明】
【技術分野】
【０００１】
本考案は、足裏にペーパータオルを装着させ、歩きながら床拭きを可能にした清掃用具に関するものである。
【背景技術】
【０００２】
床を拭く清掃用具は従来、モップ式に大きな化学雑巾で拭くものや、柄の先に着脱可能な拭き取りシートを付けて拭くものなど、雑巾を手で持って拭くこと以外で実用に共されている。
【０００３】
実用の柄がついた床拭き用清掃用具は、収納スペースが必要なことと、拭くために時間をわざわざ割かなければならないという不都合がある。
【０００４】
特許公開２００１−２５４５４の不織物のワイパーをスリッパの底の形に切断し接着用の両面テープを貼り付けたスリッパの裏に付ける不織物のワイパーは、上記不都合な部分は解消しているが、使い回しに限度がある。つまり、一度使用した不織物はその都度交換せねばならず、結果コストが高くなるという欠点があった。
【０００５】
この改善策としての実装形態での説明図が図６である。本考案の床拭きペーパーホルダーは、床拭きに使用し汚れた部分をその都度交換し且つ、安価にできるよう市販のペーパータオルを利用し、ボディ１を軸として、４つのアーム２に有する挟み式留め具３でペーパータオル１１を挟むことにより、足に装着することを可能にした。４は結合器具ａ、９は足の甲、１０は履物、１１はペーパータオルである。
【特許文献１】特許公開２００１−２５４５４号公報
【考案の開示】
【考案が解決しようとする課題】
【０００６】
解決しようとする問題点は、歩きながら床拭きができ、収納スペースを必要とせず、安価で子供の興味を引く床拭きペーパーホルダーを可能にする点である。
【課題を解決するための手段】
【０００７】
本考案は、使い捨てのペーパータオルで、歩きながら床拭きをするため、足に密着固定が可能となるよう、ペーパータオルを足の甲側に引っ張り、簡易装着を可能にするものである。具体的には、足の甲に支点軸となるボディの前後左右に、挟み式留め具を有する４つのアームを付け、挟み式留め具でペーパータオルを挟み、引っ張り上げることで足に密着固定させる。ボディの前側左右のアーム及び、後側左右のアームの力のバランスが取れるよう、ボディの前後にアームを通す穴を作り、アームの長さで負荷する力のバランスを調整する。基本構造が、帯状のボディと帯紐状のアーム、挟み式留め具で成り立つことから収納スペースを必要としないコンパクトで安価な床拭きペーパーホルダーが可能になる。また、ボディに動物などのキャラクターを結合器具で取り付けることより、子供の興味を引く床拭きペーパーホルダーが可能になる。
【考案の効果】
【０００８】
本考案の床拭きペーパーホルダーは、装着が簡単で、安価で収納スペースを必要とせず、歩きながら床を拭けるという機能面の優位性だけでなく、足の甲の可視面積を利用して、子供を中心としたキャラクターグッズとして、自然に子供の清掃意識の芽生えを促すという利点がある。
【考案を実施するための最良の形態】
【０００９】
市販のペーパータオルの大きさに対応できるよう、アームの素材は伸縮性のあるもの、挟み式留め具はペーパータオルが外れにくい滑り止めがついているもの。ボディやアームの素材は、足の甲に直接当たることを考慮しソフトなものが良いが、ボディはキャラクターを取り付けることから取付け側は固めのほうが安定する。そしてキャラクターを着脱させる結合器具はボタンやテープ式のもので軽微に行なう。これらを考慮した最小限の材料からなることを可能にした床拭きペーパーホルダー。
【実施例１】
【００１０】
図７は、本考案の床拭きペーパーホルダーを足の甲９に載せ、足裏に敷いたペーパータオル１１の前後左右４箇所をボディの前後左右４箇所のアーム２の先端にある挟み式留め具３で挟み、引っ張り上げることによりペーパータオルを足に密着固定させている状態を上から見た斜視図である。６はキャラクター、１０は履物である。
【００１１】
このように本考案の床拭きペーパーホルダーは、従来の清掃用具よりも軽微に着脱可能で、市販のペーパータオルを利用して安価に利用でき、キャラクターグッズとして子供の清掃意識を促すとともに、歩きながら床を拭くことを可能にした。
【００１２】
図７の実施例のように、片足のキャラクターと違うキャラクターをもう片方の足につけるなど、取外し可能なキャラクターの種類を多くすることが可能であり、装着を楽しみながら床拭きを行なう親子の利用拡大におおいに役立つ。
【産業上の利用可能性】
【００１３】
従来、清掃用具は屋内で置き場所が固定していた。清掃する場合は必要な用具を取りに行かなければならなかった。つまり、ちょっとした清掃においても手間がかかったのである。特に、台所で調理や後片付けをする場合、床に水滴などが飛びやすい。このような場合、履物の下に拭く物が付いていれば、歩きながら水滴などを拭くことや、体の一部の足先での力加減の拭き方ができ、作業が軽減される。そしてその拭いて汚れた部分が一般の家庭にあるもので代用でき、使い捨てが可能なもので、置場所を必要としないものであり、キャラクター性があって、安価であればおおいに利用が見込まれる。
【図面の簡単な説明】
【００１４】
【図１】床拭きペーパーホルダー表側の平面図である。
【図２】床拭きペーパーホルダー表側の斜視図である。
【図３】キャラクター例の表側平面図である。
【図４】キャラクター例の裏側平面図である。
【図５】ペーパータオルの上に履物を履いた足を載せた斜視図である。
【図６】図５の状態でキャラクターを付けていない床拭きペーパーホルダーを足に装着した斜視図である。
【図７】キャラクターを付けた床拭きペーパーホルダーを足に装着した斜視図である。（実施例１）
【符号の説明】
【００１５】
１    ボディ
２    アーム
３    挟み式留め具
４    結合器具ａ
５    アーム通し穴
６    キャラクター表
７    キャラクター裏
８    結合器具ｂ
９    足の甲
１０    履物
１１    ペーパータオル
【図１】
0003142020.tif 000003
【図２】
0003142020.tif 000004
【図３】
0003142020.tif 000005
【図４】
0003142020.tif 000006
【図５】
0003142020.tif 000007
【図６】
0003142020.tif 000008
【図７】
0003142020.tif 000009
【手続補正書】
【提出日】平成19年11月22日(2007.11.22)
【手続補正１】
【補正対象書類名】実用新案登録請求の範囲
【補正対象項目名】請求項２
【補正方法】変更
【補正の内容】
【請求項２】
アームの長さを左右に調整可能となるよう、ボディにアームの通し穴を設けアームを通すことにより、アームをボディに固定することなく左右のバランスがとれるようにすることを特徴とする請求項１記載の床拭きペーパーホルダー。
【手続補正書】
【提出日】平成20年2月21日(2008.2.21)
【手続補正１】
【補正対象書類名】実用新案登録請求の範囲
【補正対象項目名】全文
【補正方法】変更
【補正の内容】
【実用新案登録請求の範囲】
【請求項１】
挟み式留め具を先端に持つアームを前後左右に有するボディを足の甲に載せ、足の裏に敷いたペーパータオルをボディに付随するアームの挟み式留め具で４点装着すること特徴とする床拭きペーパーホルダー。
【請求項２】
アームの長さを左右に調整可能となるよう、ボディにアームの通し穴を設けアームを通すことにより、アームをボディに固定することなく左右のバランスがとれるようにすることを特徴とする請求項１記載の床拭きペーパーホルダー。
【請求項３】
無味乾燥なボディに動物などのキャラクターを結合器具をつけて結合可能とすることにより、子供などの興味関心を引かせ、床拭きを楽しく促すことを特徴とする請求項１記載の床拭きペーパーホルダー。